(57)【特許請求の範囲】
【請求項１】
位置及び高度を測位可能な測位手段を有する携帯端末と、該携帯端末とネットワークを介して通信可能な管理サーバとを有するシステムを用いた避難シミュレーション方法であって、
前記管理サーバは、地図上の所定位置範囲毎に「危険高度」を設定しており、
前記管理サーバが、想定避難事象の発生に基づく「避難開始アラーム」を、前記携帯端末へ報知する第１のステップと、
前記携帯端末が、避難開始アラームを受信した後、前記測位手段によって測位された位置及び高度を、前記管理サーバへ定期的に送信する第２のステップと、
前記管理サーバが、前記想定避難事象の発生後からの時間経過に応じて前記地図の危険高度を変化させると共に、前記携帯端末から受信した前記位置及び高度について、前記地図上の当該位置における当該高度が危険高度以下となったか否かを判定し、真と判定された際に、当該携帯端末へ「避難失敗アラーム」を送信する第３のステップと、
前記携帯端末は、前記避難失敗アラームを受信した際に、当該携帯端末のユーザへ「避難失敗アラーム」を明示する第４のステップと
を有することを特徴とする避難シミュレーション方法。
【請求項２】
前記管理サーバについて、前記想定避難事象を「津波」とし、
地図上の所定位置範囲毎に設定される危険高度を、時間経過に応じた海水の浸水高度とする
ことを特徴とする請求項１に記載の避難シミュレーション方法。
【請求項３】
前記管理サーバについて、前記想定避難事象を「雨量」とし、
地図上の所定位置範囲毎に設定される危険高度を、時間経過に応じた雨水の浸水高度とする
ことを特徴とする請求項１又は２に記載の避難シミュレーション方法。
【請求項４】
前記管理サーバについて、地図上で、雨量に応じて土砂災害の危険領域とする所定位置範囲には、時間経過に応じた雨量が所定量以上となった際に、設定される危険高度を、最高高度に設定する
ことを特徴とする請求項３に記載の避難シミュレーション方法。
【請求項５】
前記携帯端末について、前記測位手段は、少なくとも３つ以上のＧＰＳ(Global Positioning System)衛星からの測位電波を受信することによって、前記位置及び高度を測位する
ことを特徴とする請求項１から４のいずれか１項に記載の避難シミュレーション方法。
【請求項６】
前記携帯端末について、前記測位手段は、
ＧＰＳ衛星からの測位電波、又は、携帯電話網の基地局測位によって、前記位置を測位すると共に、
気圧センサによって計測された気圧値を、前記高度として測位する
ことを特徴とする請求項１から４のいずれか１項に記載の避難シミュレーション方法。
【請求項７】
前記管理サーバは、前記想定避難事象の発生時点後から、時間経過に応じて前記地図の危険高度が変化する複数の浸水想定地図を予め蓄積している
ことを特徴とする請求項１から６のいずれか１項に記載の避難シミュレーション方法。
【請求項８】
前記管理サーバは、前記避難開始アラームの送信後、位置及び高度を定期的に受信する携帯端末の総数に対して、避難失敗アラームを送信した携帯端末の数の割合を、当該地域範囲における避難失敗確率とする
ことを特徴とする請求項１から７のいずれか１項に記載の避難シミュレーション方法。
【請求項９】
前記携帯端末は、前記測位手段を有するスマートフォンであって、避難シミュレーションゲームのアプリケーションのプログラムを予めインストールしたものである
ことを特徴とする請求項１から７のいずれか１項に記載の避難シミュレーション方法。
【請求項１０】
位置及び高度を測位可能な測位手段を有する携帯端末と、該携帯端末とネットワークを介して通信可能な管理サーバとを有する避難シミュレーションシステムであって、
前記管理サーバは、
地図上の所定位置範囲毎に「危険高度」を設定した危険高度地図蓄積手段と、
想定避難事象の発生に基づく「避難開始アラーム」を、前記携帯端末へ報知する避難開始アラーム報知手段と、
前記想定避難事象の発生後からの時間経過に応じて前記地図の危険高度を変化させると共に、前記携帯端末から受信した前記位置及び高度について、前記地図上の当該位置における当該高度が危険高度以下となったか否かを判定し、真と判定された際に、当該携帯端末へ「避難失敗アラーム」を送信する危険高度判定手段と
を有し、
前記携帯端末は、
前記避難開始アラームを受信した後、前記測位手段によって測位された位置及び高度を、前記管理サーバへ定期的に送信する測位情報送信手段と、
前記避難失敗アラームを受信した際に、当該携帯端末のユーザへ「避難失敗アラーム」を明示する避難失敗アラーム明示手段と
を有することを特徴とする避難シミュレーションシステム。
【請求項１１】
位置及び高度を測位可能な測位手段を有し、避難の危険性をシミュレーションする
携帯端末であって、
地図上の所定位置範囲毎に「危険高度」を設定した危険高度地図蓄積手段と、
想定避難事象の発生に基づく「避難開始アラーム」を報知する避難開始アラーム設定手段と、
前記避難開始アラームを設定した後、前記測位手段によって位置及び高度を、定期的に測位する測位制御手段と、
前記想定避難事象の発生後からの時間経過に応じて前記地図の危険高度を変化させると共に、測位した前記位置及び高度について、前記地図上の当該位置における当該高度が危険高度以下となったか否かを判定する危険高度判定手段と、
前記危険高度判定手段によって真と判定された際に、当該携帯端末のユーザへ「避難失敗アラーム」を明示する避難失敗アラーム明示手段と
を有することを特徴とする携帯端末。
【請求項１２】
位置及び高度を測位可能な測位手段を有する携帯端末に搭載されたコンピュータを、避難の危険性をシミュレーションするように機能させるプログラムであって、
地図上の所定位置範囲毎に「危険高度」を設定した危険高度地図蓄積手段と、
想定避難事象の発生に基づく「避難開始アラーム」を報知する避難開始アラーム設定手段と、
前記避難開始アラームを設定した後、前記測位手段によって位置及び高度を、定期的に測位する測位制御手段と、
前記想定避難事象の発生後からの時間経過に応じて前記地図の危険高度を変化させると共に、測位した前記位置及び高度について、前記地図上の当該位置における当該高度が危険高度以下となったか否かを判定する危険高度判定手段と、
前記危険高度判定手段によって真と判定された際に、当該携帯端末のユーザへ「避難失敗アラーム」を明示する避難失敗アラーム明示手段と
してコンピュータを機能させることを特徴とするプログラム。
【発明の詳細な説明】
【技術分野】
【０００１】
本発明は、自然水害に対する住民の避難シミュレーションの技術に関する。
【背景技術】
【０００２】
近年、日本国内では、地震による津波や、温暖化による豪雨などの自然水害が頻発している。そのために、避難所や防潮堤、河川壁の建設のみならず、有事を想定した住民に対する避難訓練も重要となっている。
従来、自然水害によって住民避難を予想するために、観測データに基づくリアルタイムな被害予想マップを作成する技術がある（例えば特許文献１参照）。リアルタイムハザードマップシステムであって、雨量データに基づいて洪水ハザードマップを計算し、ユーザの携帯端末に通知することができる。
また、コントローラが災害によって避難するプレイヤの行動を分析する、避難訓練のロールプレイングゲームの技術もある（例えば特許文献２参照）。
更に、机上訓練レベルのカードゲームとして、防災トランプも市販されている。
【先行技術文献】
【特許文献】
【０００３】
【特許文献１】特開２００３−１６７１７９号公報
【特許文献２】特許第４００７８３３号
【発明の概要】
【発明が解決しようとする課題】
【０００４】
しかしながら、前述したような従来技術における避難シミュレーションでは、住民自らが実際に避難行動を起こさないために、実生活下における緊張感やリアル感がない。
また、所定地域の住民全員を対象とした大規模な集団避難訓練では、膨大な行動負担が必要となる。集団避難訓練は、事前に災害の仮想シナリオが提示されており、普通の避難訓練を単純に可視化しているにすぎない。それだけでなく、近年、住民の生活リズムの多様化に伴って、集団避難訓練は極めて困難となっている。住民に避難を誘導する行政としても、地域一括網羅的な防災訓練では、支援重要度（トリアージ）判定も困難となっている。
【０００５】
一方で、実際に住民避難訓練を実施できたとしても、住民毎に、「その時刻」の「その場所」で安全なのかどうか？、避難経路は妥当であったかのか？を判断することは難しい。また、その避難経路の危険性を、実際に避難訓練に参加した住民へフィードバックすることもできない。
【０００６】
勿論、近年における災害予測システムやシミュレーションは、情報処理技術の進歩に伴って極めて高精度に実現できる。しかしながら、避難シミュレーションによれば、全ての障害発生可能性を想定する必要があり、住民各々の避難経路や避難時間について十分が事前データが得ることは難しい。
【０００７】
そこで、本発明は、実際に集団避難訓練を実施することなく、各住民が個別に、所望のタイミングで避難訓練に参加することができると共に、住民自ら避難経路の危険性を判断することができる避難シミュレーション方法、システム、携帯端末及びプログラムを提供することを目的とする。
【課題を解決するための手段】
【０００８】
本発明によれば、位置及び高度を測位可能な測位手段を有する携帯端末と、該携帯端末とネットワークを介して通信可能な管理サーバとを有するシステムを用いた避難シミュレーション方法であって、
管理サーバは、地図上の所定位置範囲毎に「危険高度」を設定しており、
管理サーバが、想定避難事象の発生に基づく「避難開始アラーム」を、携帯端末へ報知する第１のステップと、
携帯端末が、避難開始アラームを受信した後、測位手段によって測位された位置及び高度を、管理サーバへ定期的に送信する第２のステップと、
管理サーバが、想定避難事象の発生後からの時間経過に応じて地図の危険高度を変化させると共に、携帯端末から受信した位置及び高度について、地図上の当該位置における当該高度が危険高度以下となったか否かを判定し、真と判定された際に、当該携帯端末へ「避難失敗アラーム」を送信する第３のステップと、
携帯端末は、避難失敗アラームを受信した際に、当該携帯端末のユーザへ「避難失敗アラーム」を明示する第４のステップと
を有することを特徴とする。
【０００９】
本発明の避難シミュレーション方法における他の実施形態によれば、
管理サーバについて、想定避難事象を「津波」とし、
地図上の所定位置範囲毎に設定される危険高度を、時間経過に応じた海水の浸水高度とすることも好ましい。
【００１０】
本発明の避難シミュレーション方法における他の実施形態によれば、
管理サーバについて、想定避難事象を「雨量」とし、
地図上の所定位置範囲毎に設定される危険高度を、時間経過に応じた雨水の浸水高度とすることも好ましい。
【００１１】
本発明の避難シミュレーション方法における他の実施形態によれば、
管理サーバについて、地図上で、雨量に応じて土砂災害の危険領域とする所定位置範囲には、時間経過に応じた雨量が所定量以上となった際に、設定される危険高度を、最高高度に設定することも好ましい。
【００１２】
本発明の避難シミュレーション方法における他の実施形態によれば、
携帯端末について、測位手段は、少なくとも３つ以上のＧＰＳ(Global Positioning System)衛星からの測位電波を受信することによって、位置及び高度を測位することも好ましい。
【００１３】
本発明の避難シミュレーション方法における他の実施形態によれば、
携帯端末について、測位手段は、
ＧＰＳ衛星からの測位電波、又は、携帯電話網の基地局測位によって、位置を測位すると共に、
気圧センサによって計測された気圧値を、高度として測位する
ことも好ましい。
【００１４】
本発明の避難シミュレーション方法における他の実施形態によれば、
管理サーバは、想定避難事象の発生時点後から、時間経過に応じて地図の危険高度が変化する複数の浸水想定地図を予め蓄積していることも好ましい。
【００１５】
本発明の避難シミュレーション方法における他の実施形態によれば、
管理サーバは、避難開始アラームの送信後、位置及び高度を定期的に受信する携帯端末の総数に対して、避難失敗アラームを送信した携帯端末の数の割合を、当該地域範囲における避難失敗確率とすることも好ましい。
【００１６】
本発明の避難シミュレーション方法における他の実施形態によれば、
携帯端末は、測位手段を有するスマートフォンであって、避難シミュレーションゲームのアプリケーションのプログラムを予めインストールしたものである事も好ましい。
【００１７】
本発明によれば、位置及び高度を測位可能な測位手段を有する携帯端末と、該携帯端末とネットワークを介して通信可能な管理サーバとを有する避難シミュレーションシステムであって、
管理サーバは、
地図上の所定位置範囲毎に「危険高度」を設定した危険高度地図蓄積手段と、
想定避難事象の発生に基づく「避難開始アラーム」を、携帯端末へ報知する避難開始アラーム報知手段と、
想定避難事象の発生後からの時間経過に応じて地図の危険高度を変化させると共に、携帯端末から受信した位置及び高度について、地図上の当該位置における当該高度が危険高度以下となったか否かを判定し、真と判定された際に、当該携帯端末へ「避難失敗アラーム」を送信する危険高度判定手段と
を有し、
携帯端末は、
避難開始アラームを受信した後、測位手段によって測位された位置及び高度を、管理サーバへ定期的に送信する測位情報送信手段と、
避難失敗アラームを受信した際に、当該携帯端末のユーザへ「避難失敗アラーム」を明示する避難失敗アラーム明示手段と
を有することを特徴とする。
【００１８】
本発明によれば、位置及び高度を測位可能な測位手段を有し、避難の危険性をシミュレーションする携帯端末であって、
地図上の所定位置範囲毎に「危険高度」を設定した危険高度地図蓄積手段と、
想定避難事象の発生に基づく「避難開始アラーム」を報知する避難開始アラーム設定手段と、
避難開始アラームを設定した後、測位手段によって位置及び高度を、定期的に測位する測位制御手段と、
想定避難事象の発生後からの時間経過に応じて地図の危険高度を変化させると共に、測位した位置及び高度について、地図上の当該位置における当該高度が危険高度以下となったか否かを判定する危険高度判定手段と、
危険高度判定手段によって真と判定された際に、当該携帯端末のユーザへ「避難失敗アラーム」を明示する避難失敗アラーム明示手段と
を有することを特徴とする。
【００１９】
本発明によれば、位置及び高度を測位可能な測位手段を有する携帯端末に搭載されたコンピュータを、避難の危険性をシミュレーションするように機能させるプログラムであって、
地図上の所定位置範囲毎に「危険高度」を設定した危険高度地図蓄積手段と、
想定避難事象の発生に基づく「避難開始アラーム」を報知する避難開始アラーム設定手段と、
避難開始アラームを設定した後、測位手段によって位置及び高度を、定期的に測位する測位制御手段と、
想定避難事象の発生後からの時間経過に応じて地図の危険高度を変化させると共に、測位した位置及び高度について、地図上の当該位置における当該高度が危険高度以下となったか否かを判定する危険高度判定手段と、
危険高度判定手段によって真と判定された際に、当該携帯端末のユーザへ「避難失敗アラーム」を明示する避難失敗アラーム明示手段と
してコンピュータを機能させることを特徴とする。
【発明の効果】
【００２０】
本発明の避難シミュレーション方法、システム、携帯端末及びプログラムによれば、実際に集団避難訓練を実施することなく、各住民が個別に、所望のタイミングで避難訓練に参加することができると共に、住民自ら避難経路の危険性を判断することができる。
【図面の簡単な説明】
【００２１】
【図１】本発明における環境構成図である。
【図２】本発明におけるシーケンス図である。
【図３】第１の時刻における水位状態を表す説明図である。
【図４】第２の時刻における水位状態を表す説明図である。
【図５】第３の時刻における水位状態を表す説明図である。
【図６】本発明における携帯端末及び管理サーバの機能構成図である。
【図７】本発明における携帯端末の機能構成図である。
【図８】外部データベースを用いたシステム構成図である。
【発明を実施するための形態】
【００２２】
以下では、本発明を実施するための形態について、図面を用いて詳細に説明する。
【００２３】
図１は、本発明における環境構成図である。
【００２４】
図１によれば、河川や海岸のような環境周辺が表されており、地震による津波や、温暖化による豪雨などの自然水害の発生場所を想定している。その環境周辺の住民は、スマートフォンのような携帯端末１を所持する。携帯端末１は、携帯電話網（移動体通信システム）の基地局と、無線リンクを介して通信する。携帯電話網は、インターネットに相互接続されており、携帯端末１は、インターネットを介して管理サーバ２と通信することができる。
【００２５】
携帯端末１は、「位置及び高度」を測位可能な測位部を搭載する。また、携帯端末１は、避難シミュレーション用のアプリケーションプログラムを予めインストールしたものである。このプログラムは、ユーザにとっては「避難シミュレーションゲーム」のようなものである。管理サーバ２は、携帯端末１にインストールされたアプリケーションプログラムと通信しながら、避難シミュレーションを実行する。
【００２６】
図２は、本発明におけるシーケンス図である。
【００２７】
管理サーバ２は、地図上の所定位置範囲毎に、「危険高度」を設定している。
携帯端末１を所持するユーザにとって、津波や豪雨が発生したとしても、その場所が直ぐに危険となるわけではない。例えば海岸から津波が到来した場合、地上の水位が上昇するまで時間経過を要する。また、例えば豪雨が発生した場合も、河川水位や地上水位が上昇するまで時間経過を要する。そのために、地図上の所定位置範囲毎に、津波や豪雨の自然水害の規模に応じて、時間経過に伴ってその危険高度も変化するように予め設定される。即ち、「危険高度」とは、地図上の所定位置範囲毎に、住民（携帯端末を所持する当該ユーザ）が水害に巻き込まれる高度を意味する。
【００２８】
（Ｓ１：第１のステップ）
管理サーバ２は、想定避難事象の発生に基づく「避難開始アラーム」を、携帯端末１へ報知する。避難開始アラームは、避難シミュレーションに参加するユーザの携帯端末１へのみ送信される。その参加は、集団の複数の携帯端末であってもよいし、個人の単体の携帯端末であってもよい。
【００２９】
（Ｓ２：第２のステップ）
携帯端末１は、避難開始アラームの受信によって、ユーザに対する避難シミュレーション（ゲーム）の開始となる。これは、携帯端末１を所持するユーザにとって、アプリケーションプログラムから管理サーバ２へゲーム開始を要求するものであってもよいし、管理サーバ２から突然の避難シミュレーションのゲーム開始であってもよい。
そして、携帯端末１は、測位部によって測位された「位置及び高度」を、管理サーバ２へ定期的（例えば５分毎）に送信し始める。
【００３０】
（Ｓ３：第３のステップ）
管理サーバ２は、想定避難事象の発生後からの時間経過に応じて地図の危険高度を変化させる。
管理サーバ２は、想定避難事象を「津波」とする場合、地図上の所定位置範囲毎に設定される危険高度を、時間経過に応じた海水の浸水高度とするものであってもよい。この場合、時間経過に応じて、海岸に近い場所から順に、浸水高度が高くなっていく。
管理サーバ２は、想定避難事象を「雨量」とする場合、地図上の所定位置範囲毎に設定される危険高度を、時間経過に応じた雨水の浸水高度とするものであってもよい。この場合、時間経過に応じて、標高の低い場所から順に、浸水高度が高くなっていく。
【００３１】
また、他の実施形態として、管理サーバ２は、地図上で、雨量に応じて土砂災害の危険領域とする所定位置範囲には、時間経過に応じた雨量が所定量以上となった際に、設定される危険高度を、最高高度に設定する。これは、土砂災害を想定した場合、その位置では、高度が全く関係なく危険となるためである。
【００３２】
更に、他の実施形態として、危険高度をリアルタイムに計算することなく、管理サーバ２は、想定避難事象の発生時点後から、時間経過に応じて地図の危険高度が変化する複数の浸水想定地図を予め蓄積したものであってもよい。
【００３３】
そして、管理サーバ２は、携帯端末から受信した「位置及び高度」について、当該地図のその位置で、その高度が危険高度以下となったか否かを判定する。時間経過に応じた浸水想定地図と、位置・高度とをマッピングすることによって、当該ユーザのその位置の高度が、危険高度以下か否かを判定することができる。
【００３４】
（Ｓ４：第４のステップ）
管理サーバ２は、Ｓ３について真と判定された際に、当該携帯端末へ「避難失敗アラーム」を送信する。
【００３５】
（Ｓ５：第５のステップ）
携帯端末１は、避難失敗アラームを受信した際に、当該携帯端末のユーザへ「避難失敗アラーム」を明示する。
【００３６】
最後に、他の実施形態として、管理サーバ２は、避難開始アラームの送信後、位置及び高度を定期的に受信する携帯端末の総数（参加ユーザ総数）に対して、避難失敗アラームを送信した携帯端末の数（避難失敗ユーザ数）の割合を、当該地域範囲における避難失敗確率として算出する。
避難失敗確率＝避難失敗アラームの送信数／参加の携帯端末の総数
（＝避難失敗ユーザ数／参加ユーザ総数）
この避難失敗確率は、例えば地域行政にとって、住民の避難行動に基づくトリアージとして、その後の防災計画に反映することができる。
【００３７】
また、他の実施形態として、管理サーバ２は、避難シミュレーションの終了後、当該携帯端末１を所持するユーザにとって適切な避難経路を、当該携帯端末１へ送信することも好ましい。この避難経路は、避難シミュレーションのゲーム開始後、経過時間毎に、地図の危険高度よりも高い移動経路を意味する。これによって、ユーザは、自らの避難経路と、適切な避難経路とを比較して、自らの避難行動の危険性を理解することができる。
【００３８】
図３は、第１の時刻における水位状態を表す説明図である。
図４は、第２の時刻における水位状態を表す説明図である。
図５は、第３の時刻における水位状態を表す説明図である。
【００３９】
図３、図４及び図５は、地域断面図と、時間経過に応じて変化する浸水位との関係を表している。ユーザの現在位置における高度が、浸水位以下となった時、当該ユーザは避難失敗と判定される。
【００４０】
第１の時刻（Ｓ１）における５人のユーザａ，ｂ，ｃ，ｄ，ｅの現在位置を表す。これらユーザが、避難シミュレーションに参加するものとする。避難開始アラームを受信した５台の携帯端末１は、例えば以下のようにディスプレイによってユーザに表示する。
”［避難訓練］５ｍの津波が来ました。至急、避難してください！”
この表示を見た５人のユーザａ，ｂ，ｃ，ｄ，ｅはそれぞれ、自ら避難すべきと思う場所へ向けて避難行動を開始する。
【００４１】
第２の時刻（例えば１時間後）における５人のユーザａ，ｂ，ｃ，ｄ，ｅの現在位置を表す。図４によれば、ユーザｂ及びｅの携帯端末１から受信した位置及び高度が、当該地図の危険高度以下となったと判定されている。このとき、管理サーバ２は、ユーザｂ及びｅの携帯端末１へ、「避難失敗アラーム」を送信し、例えば以下のようにディスプレイによってユーザに表示する。
”［避難訓練］避難失敗です！！！”
【００４２】
第３の時刻（例えば更に１時間後）における３人のユーザａ，ｃ，ｄの位置を表す。図５によれば、ユーザｄの携帯端末１から受信した位置及び高度が、当該地図の危険高度以下となったと判定されている。このとき、管理サーバ２は、ユーザｄの携帯端末１へ、「避難失敗アラーム」を送信し、例えば以下のようにディスプレイによってユーザに表示する。
”［避難訓練］避難失敗です！！！”
【００４３】
最終的に、ユーザａ及びｃは、避難成功として、避難行動が適切であったと判定される。ユーザａは、海岸から離れた山方向へ避難し、ユーザｃは、建造物の上層階へ避難することによって、水害を免れたこととなる。特に、ユーザｃの場所は、平面地図上では津波にのみ込まれている地域であるが、ビルの上層階へ登ることによって避難成功となっている。このように、本発明によれば、一般的な防災シミュレーションにおける平面地図上の展開のみならず、高さ方向への避難も考慮している。
【００４４】
図６は、本発明における携帯端末及び管理サーバの機能構成図である。
【００４５】
図６のシステムによれば、携帯端末１は、測位部１０と、測位情報制御部１２と、避難失敗アラーム明示部１５とを有する。また、管理サーバ２は、避難開始アラーム報知部１１と、危険高度地図蓄積部１３と、危険高度判定部１４とを有する。
【００４６】
図７は、本発明における携帯端末の機能構成図である。
【００４７】
図７によれば、携帯端末１は、測位部１０と、避難開始アラーム報知部１１と、測位情報制御部１２と、危険高度地図蓄積部１３と、危険高度判定部１４と、避難失敗アラーム明示部１５とを有する。これら機能構成部は、携帯端末に搭載されたコンピュータを機能させるプログラムを実行することによって実現される。
【００４８】
図６はシステム構成であるのに対し、図７は携帯端末の構成であるが、各機能構成部は全く同じものである。
【００４９】
［測位部１０］
測位部１０は、少なくとも３つ以上のＧＰＳ衛星からの電波を受信することによって、「位置及び高度」を測位するものであってもよい。
また、他の実施形態として、測位部１０は、携帯電話網の基地局測位によって位置を測位するものであってもよい。但し、基地局測位によっては、高度まで計測できない。その場合、スマートフォンでも一般的に搭載されつつある「気圧センサ」を用いることも好ましい。気圧センサは、周辺気温を基準として比較的高精度に高度を計測することができる。
そして、測位部１０によって計測された「位置及び高度」は、測位情報制御部１２へ出力される。
【００５０】
［避難開始アラーム報知部１１］
避難開始アラーム報知部１１は、想定避難事象の発生に基づく「避難開始アラーム」を、携帯端末１へ報知する。図６によれば、避難開始アラームが、管理サーバ２から携帯端末１へ送信される。図７によれば、避難開始アラームは、ユーザ操作に基づく報知であってもよい。
避難開始アラームを受け取った携帯端末１は、例えば以下のようにディスプレイによってユーザに表示する。
”［避難訓練］５ｍの津波が来ました。至急、避難してください！”
【００５１】
［測位情報制御部１２］
測位情報制御部１２は、避難開始アラームを受け取った後、測位部１０によって測位された「位置及び高度」を、危険高度判定部１４へ定期的に送信する。図６によれば、「位置及び高度」が、携帯端末１から管理サーバ２へ送信される。
【００５２】
［危険高度地図蓄積部１３］
危険高度地図蓄積部１３は、地図上の所定位置範囲毎に「危険高度」を設定する。この危険高度は、避難シミュレーションのゲーム開始後、時間経過に基づく浸水位の変化に応じて蓄積されている。
【００５３】
［危険高度判定部１４］
危険高度判定部１４は、危険高度地図蓄積部１３を用いて、想定避難事象の発生後からの時間経過に応じて地図の危険高度を変化させると共に、携帯端末の位置及び高度が、当該地図の危険高度以下となったか否かを判定する。
そして、危険高度判定部１４は、真と判定された際に、当該携帯端末１へ「避難失敗アラーム」を送信する。
【００５４】
［避難失敗アラーム明示部１５］
避難失敗アラーム明示部１５は、避難失敗アラームを受信した際に、当該携帯端末のユーザへ「避難失敗アラーム」を明示する。携帯端末１は、例えば以下のようにディスプレイによってユーザに表示する。
”［避難訓練］避難失敗です！！！”
【００５５】
図８は、外部データベースを用いたシステム構成図である。
【００５６】
図８によれば、管理サーバ２は、危険高度推定部１６を更に含む。危険高度推定部１６は、インターネットに接続される外部データベース群から各種情報を取得し、それに基づいて危険高度を危険高度地図蓄積部１３へ蓄積する。データベースに蓄積された過去の計測記録から、場所毎に時間経過に応じた浸水位を推定することができる。
【００５７】
（標高データベース）
標高データベースは、位置情報と海抜高度情報とからなる標高データを蓄積する。浸水位は、標高の低い場所から順に高くなっていく。
（氾濫データベース）
氾濫データベースは、各河川の地点における氾濫水位を蓄積する。氾濫水位を超えた際に、その周辺地域の浸水位が急激に高くなる。
（降水データベース）
降水データベースは、雨量計又は降水レーダによって計測された雨量を蓄積する。
（水位データベース）
水位データベースは、津波や雨量に応じて、河川に設置された複数の水位センサによって計測された観測水位を蓄積する。
（土砂災害データベース）
土砂災害データベースは、当該所定位置範囲で土砂災害が発生した時に、その雨量を蓄積する。
【００５８】
以上、詳細に説明したように、本発明の避難シミュレーション方法、システム、携帯端末及びプログラムによれば、実際に集団避難訓練を実施することなく、各住民が個別に、所望のタイミングで避難訓練に参加することができると共に、住民自ら避難経路の危険性を判断することができる。
【００５９】
本発明によれば、想定避難事象の発生場所や規模も、避難シミュレーション毎に任意に設定することができる。住民にとっては、任意のタイミングで、様々な避難事象を想定した適切な避難訓練を実施することができる。また、本発明によれば、集団避難訓練を実施する必要がなく、住民は、自動車・バイク・徒歩・手押し車・車椅子など様々な交通手段で避難する場合に対応することができる。更に、住民にとっては、一種のゲーム感覚で参加することができ、避難訓練に対する意識のハードルも低くなる。行政の自治体としても住民の様々な避難行動の記録から、災害弱者の発見や防災計画のトリアージに反映することもできる。
【００６０】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００６１】
１  携帯端末
１０  測位部
１１  避難開始アラーム報知部
１２  測位情報制御部
１３  危険高度地図蓄積部
１４  危険高度判定部
１５  避難失敗アラーム明示部
１６  危険高度推定部
２  管理サーバ
【要約】
【課題】集団避難訓練を実施することなく、各住民が個別に、所望のタイミングで避難訓練に参加し、住民自ら避難経路の危険性を判断することができる方法を提供する。
【解決手段】管理サーバは、地図上の所定位置範囲毎に「危険高度」を設定する。最初に、管理サーバが、想定避難事象の発生に基づく「避難開始アラーム」を、携帯端末へ報知する。次に、携帯端末が、避難開始アラームを受信した後、測位手段によって測位された位置及び高度を、管理サーバへ定期的に送信する。次に、管理サーバが、想定避難事象の発生後からの時間経過に応じて地図の危険高度を変化させると共に、携帯端末の位置及び高度が、当該地図の危険高度以下となったか否かを判定する。次に、真と判定された際に、当該携帯端末へ「避難失敗アラーム」を送信する。そして、携帯端末は、当該携帯端末のユーザへ「避難失敗アラーム」を明示する。
【選択図】図２【図１】
0005737683.tif 000002
【図２】
0005737683.tif 000003
【図３】
0005737683.tif 000004
【図４】
0005737683.tif 000005
【図５】
0005737683.tif 000006
【図６】
0005737683.tif 000007
【図７】
0005737683.tif 000008
【図８】
0005737683.tif 000009